(57)【特許請求の範囲】
【請求項１】
成人よりも小さな頭部に人間の頭髪が植毛された小型人頭模型であって、
フロント側またはネープ側の少なくとも一方のヘムラインに沿う帯状の第一領域と、前記第一領域よりも頭頂部側の第二領域と、を有し、
前記第一領域に植毛された頭髪の立ち上がり角度が、前記第二領域に植毛された頭髪の立ち上がり角度よりも小さく、
フロント側の前記第一領域が、両耳を両端とする帯状をなすとともに前記両耳の近傍の細幅部およびその中間にあたる太幅部を含み、
フロント側の前記第一領域における前記頭髪のうち、前記両耳の近傍における前記頭髪の前記立ち上がり角度が、前記太幅部における前記頭髪の前記立ち上がり角度よりも小さい、
ことを特徴とする小型人頭模型。
【請求項２】
前記第一領域に植毛された頭髪の立ち上がり角度が５度以上３０度以下である請求項１に記載の小型人頭模型。
【請求項３】
前記第一領域が、フロント側またはネープ側の少なくとも一方の前記ヘムラインを下限とする帯状に形成されている請求項１または２に記載の小型人頭模型。
【請求項４】
前記太幅部の下限ラインが下に凸形状であり、かつ上限ラインが上に凸形状である請求項１から３のいずれか１項に記載の小型人頭模型。
【請求項５】
前記太幅部の前記上限ラインが、前記両耳のそれぞれ中心と旋毛とを通る正中線と略平行である請求項４に記載の小型人頭模型。
【請求項６】
前記第一領域が、フロント側とネープ側とにそれぞれ設けられている請求項１から５のいずれか一項に記載の小型人頭模型。
【請求項７】
フロント側の前記第一領域における前記頭髪の前記立ち上がり角度が、ネープ側の前記第一領域における前記頭髪の前記立ち上がり角度よりも小さい請求項６に記載の小型人頭模型。
【請求項８】
前記第二領域が、両耳のそれぞれ中心と旋毛とを通る正中線を境界にして、前頭領域と後頭領域とに区分され、
前記前頭領域に植毛された頭髪はフロント側に向かって立ち上がり、前記後頭領域に植毛された頭髪はネープ側に向かって立ち上がっている請求項１から７のいずれか一項に記載の小型人頭模型。
【請求項９】
フロント側の前記ヘムラインに沿う前記第一領域を有し、フロント側の前記第一領域から前記前頭領域にわたって前記頭髪の立ち上がり角度が連続的に変化している請求項８に記載の小型人頭模型。
【請求項１０】
前記前頭領域における前記頭髪のうち、前記旋毛に近接する側の前記頭髪の立ち上がり角度が、フロント側の前記第一領域に近接する側の前記頭髪の前記立ち上がり角度よりも大きいことを特徴とする請求項９に記載の小型人頭模型。
【請求項１１】
ネープ側の前記ヘムラインに沿う前記第一領域を有し、ネープ側の前記第一領域から前記後頭領域にわたって前記頭髪の立ち上がり角度が連続的に変化している請求項８から１０のいずれか一項に記載の小型人頭模型。
【請求項１２】
前記後頭領域における前記頭髪のうち、前記旋毛に近接する側の前記頭髪の立ち上がり角度が、ネープ側の前記第一領域に近接する側の前記頭髪の前記立ち上がり角度よりも大きいことを特徴とする請求項１１に記載の小型人頭模型。
【請求項１３】
前記前頭領域におけるすべての前記頭髪の前記立ち上がり角度が均一である請求項８に記載の小型人頭模型。
【請求項１４】
前記後頭領域におけるすべての前記頭髪の前記立ち上がり角度が均一である請求項８に記載の小型人頭模型。
【請求項１５】
前記前頭領域におけるすべての前記頭髪の前記立ち上がり角度が均一であり、前記後頭領域におけるすべての前記頭髪の前記立ち上がり角度が均一である請求項８に記載の小型人頭模型。
【請求項１６】
前記前頭領域における前記頭髪のうち、前記両耳の近傍における前記頭髪の前記立ち上がり角度が、前記旋毛の近傍における前記頭髪の前記立ち上がり角度よりも小さい請求項８に記載の小型人頭模型。
【請求項１７】
前記第一領域における前記頭髪の数密度が、前記第二領域における前記頭髪の数密度よりも大きいことを特徴とする請求項１から１６のいずれか一項に記載の小型人頭模型。
【請求項１８】
請求項１から１７のいずれか一項に記載の小型人頭模型に用いられる頭皮部材であって、
樹脂シートと、前記樹脂シートに所定の植毛角度で植毛された人間の頭髪と、を含み、
フロント側およびネープ側の前記第一領域における前記頭髪の植毛角度が略水平であり、かつ、フロント側の前記第一領域における前記頭髪が立ち上がる向きと、ネープ側の前記第一領域における前記頭髪が立ち上がる向きとが互いに反対であり、
前記第二領域の頭頂近傍における前記頭髪の植毛角度が略直角である頭皮部材。
【請求項１９】
前記樹脂シートには目、鼻および耳を含む顔要素が形成されており、
フロント側の前記第一領域における前記頭髪は、前記顔要素に向かって傾斜しており、
ネープ側の前記第一領域における前記頭髪は、前記顔要素の反対側に向かって傾斜している請求項１８に記載の頭皮部材。
【請求項２０】
フロント側の前記第一領域における前記頭髪の前記植毛角度が３度以上２５度以下であり、ネープ側の前記第一領域における前記頭髪の前記植毛角度が１５５度以上１７７度以下である請求項１９に記載の頭皮部材。
【請求項２１】
前記第二領域が、両耳のそれぞれ中心と旋毛とを通る正中線を境界にして、前頭領域と後頭領域とに区分されており、
前記前頭領域の前記頭髪の植毛角度が５０度以上７０度以下である請求項１９に記載の頭皮部材。
【請求項２２】
前記樹脂シートが略球体状に成形されている請求項１８に記載の頭皮部材。
【請求項２３】
請求項１から１７のいずれか一項に記載の小型人頭模型の製造方法であって、
樹脂シートにおける前記第一領域に所定の植毛角度で人間の頭髪を植毛し、前記樹脂シートにおける前記第二領域に前記所定の植毛角度よりも大きな植毛角度で人間の頭髪を植毛して頭皮部材を作成する植毛工程と、
前記頭皮部材を頭部形状に成形し、かつ前記頭皮部材を内側から押圧して前記第一領域の頭髪の立ち上がり角度を前記所定の植毛角度よりも大きくする押圧工程と、
を含む小型人頭模型の製造方法。
【請求項２４】
前記頭皮部材を袋状の前記頭部形状に成形するとともに内側に発泡樹脂材料を封入する封入工程をさらに含み、
前記押圧工程では、封入された前記発泡樹脂材料を発泡硬化させて前記頭皮部材を内側から押圧する請求項２３に記載の小型人頭模型の製造方法。
【請求項２５】
顔要素が予め形成されている前記樹脂シートの前記第一領域および前記第二領域に対して前記頭髪を植毛する請求項２３または２４に記載の小型人頭模型の製造方法。
【請求項２６】
前記頭髪が予め植毛された前記樹脂シートに対して顔要素を形成する請求項２３または２４に記載の小型人頭模型の製造方法。
【発明の詳細な説明】
【技術分野】
【０００１】
本発明は、小型人頭模型、小型人頭模型に用いられる頭皮部材、および小型人頭模型の製造方法に関する。
【背景技術】
【０００２】
理美容師がヘアカット技術やヘアスタイリング技術の練習等に用いるためのウイッグと呼ばれる人頭模型が知られている。この人頭模型（通常のウイッグ）は、成人の頭部と同等のサイズをもち人間の実際の頭髪が植毛されているため、人間の自然な頭部の形態が模擬されている。通常のウイッグの具体的な頭部の高さは、約３０ｃｍである。
【０００３】
一方、成人の頭部よりも小さなサイズのミニウイッグと呼ばれる小型人頭模型が提案されている。特許文献１には、多種のヘアスタイルを提示するための、小児程度以下の大きさの小型人頭模型が記載されている。また、特許文献２には、化粧やアクセサリー、毛染め、ヘアスタイルなどの完成イメージを提示するための、高さ１０〜１５ｃｍ程度の頭部をもつ小型人頭模型が記載されている。
【０００４】
これらのミニウイッグ（小型人頭模型）の模型頭部には人間の成人の頭髪が植毛されており、染毛剤による頭髪の染色やヘアカットの感覚に関して実際の人間の頭部が模擬されている。
【先行技術文献】
【特許文献】
【０００５】
【特許文献１】実開平１−１５３１２０号公報
【特許文献２】特開２００２−２７２５７７号公報
【発明の概要】
【発明が解決しようとする課題】
【０００６】
しかしながら、成人の頭部よりも小さなミニウイッグに成人の実際の頭髪を植毛すると、頭髪の見た目の植毛状態が現実の人間や通常のウイッグと大きく相違するという問題が生じる。これは、ミニウイッグの模型頭部が小型化されているにもかかわらず、その頭髪の太さおよび曲げ剛性が成人と同じであることに起因する。すなわち、ミニウイッグに植毛されて起立した頭髪は、成人や通常のウイッグと同等の大きな曲率半径でカーブしてから毛先に向かって垂れ下がる。このため、模型頭部が小型であるにもかかわらず頭髪の嵩高さが成人の頭部や通常のウイッグと同程度となることにより、模型頭部に対する頭髪のボリュームが過大になっていた。
【０００７】
本発明は、ミニウイッグにおいて見出された上述のような課題に鑑みてなされたものであり、成人の頭部や通常のウイッグと同様の植毛状態を再現した小型の人頭模型を提供するものである。
【課題を解決するための手段】
【０００８】
本発明の小型人頭模型は、成人よりも小さな頭部に人間の頭髪が植毛された小型人頭模型であって、フロント側またはネープ側の少なくとも一方のヘムラインに沿う帯状の第一領域と、前記第一領域よりも頭頂部側の第二領域と、を有し、前記第一領域に植毛された頭髪の立ち上がり角度が、前記第二領域に植毛された頭髪の立ち上がり角度よりも小さいことを特徴とする。
【０００９】
なお、上記発明において、人頭模型とは、人間の頭部を含む身体の一部または全部を模した模型をいう。具体的には、頭部のみの模型、頭部および胸部の模型、上半身模型または全身模型のいずれでもよい。そして、小型人頭模型とは、一般的な成人の頭部よりも小さな模型頭部をもつ人頭模型をいう。また、ヘムラインとは人間および人頭模型における髪の生え際をなぞった線である。フロント側のヘムラインは前髪の生え際のラインであり、ネープ側のヘムラインは後頭部の襟足における後ろ髪の生え際のラインである。なお、ネープ（ｎａｐｅ）とは一般的に襟首、首筋のことである。また、頭髪の立ち上がり角度とは、頭髪の付け根部分と頭部の接平面との為す角度、すなわち生え角を意味する。この生え角は、頭頂方向を１８０度とし、頭頂反対方向をゼロ度として表す。
【００１０】
ここで、ヘムラインに沿う頭髪の付け根の近傍は、他の頭髪に隠されることなく顔の中央に位置するため、きわめて目視しやすい。このため、当該毛髪の立ち上がりの角度が急峻であるほど頭髪の全体の嵩高さが大きく感じられる。これに対し上記発明では、ヘムラインに沿う帯状の第一領域における頭髪の立ち上がり角度を、頭頂部側の頭髪の立ち上がり角度よりも小さくしている。これにより頭髪の嵩高さが抑制され、小型の模型頭部と頭髪との比率が成人や通常のウイッグと同等となる。そして、第一領域を帯状にしたことで、ヘムラインに沿う所定幅の頭髪の嵩高さが抑制されて成人の自然な頭髪が摸擬される。
【００１１】
また、本発明によれば、上記の小型人頭模型に用いられる頭皮部材であって、目、鼻および耳を含む顔要素が形成された樹脂シートと、前記樹脂シートに所定の植毛角度で植毛された人間の頭髪と、を含み、フロント側の前記第一領域における前記頭髪の植毛角度が、前記顔要素に向けた略水平であり、頭頂近傍における前記頭髪の前記植毛角度が略直角であり、ネープ側の前記第一領域における前記頭髪の前記植毛角度が、前記顔要素から離れる向きの略水平である頭皮部材が提供される。
【００１２】
なお、本発明の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【発明の効果】
【００１３】
本発明によれば、人間の成人や通常のウイッグと同様の植毛状態を再現した小型人頭模型が提供される。
【図面の簡単な説明】
【００１４】
【図１】本発明の実施形態にかかる小型人頭模型の斜視図である。
【図２】頭髪の立ち上がり角度の説明図である。
【図３】小型人頭模型の正面上方斜視図である。
【図４】小型人頭模型の左側面図である。
【図５】（ａ）〜（ｃ）は小型人頭模型の製造方法を示す説明図である。
【発明を実施するための形態】
【００１５】
以下、本発明の実施形態を図面に基づいて説明する。尚、すべての図面において、同様な構成要素には同様の符号を付し、適宜説明を省略する。
なお、本実施の形態では図示するように前後左右上下の方向を規定して説明する。しかし、これは構成要素の相対関係を簡単に説明するために便宜的に規定するものであり、本発明を実施する製品の製造時や使用時の方向を限定するものではない。
【００１６】
図１は、本発明の実施形態にかかる小型人頭模型１００の一例を示す斜視図である。
【００１７】
はじめに、本実施形態の小型人頭模型１００の概要について説明する。
本実施形態の小型人頭模型１００は、成人よりも小さな頭部に人間の実際の頭髪が植毛されたものである。小型人頭模型１００は、フロント側またはネープ側の少なくとも一方のヘムライン１２、１４（図３、図４を参照）に沿う帯状の第一領域１０と、第一領域１０よりも頭頂部側の第二領域２０と、を有している。
そして、第一領域１０に植毛された頭髪５０の立ち上がり角度は、第二領域２０に植毛された頭髪５０の立ち上がり角度よりも小さい。
【００１８】
本実施形態の小型人頭模型１００は、頭部８０、頸部８２および台座部９０とからなる。頭部８０と頸部８２は人間の成人の形状を模した部分であり、台座部９０は頭部８０と頸部８２を設置するための基台である。頭部８０のサイズは特に限定されないが、人間の成人の頭部よりも小さく、具体的には頭頂から顎までの高さ寸法は２５ｃｍ以下、好ましくは１０〜２０ｃｍである。
【００１９】
小型人頭模型１００には多数の頭髪５０が植毛されている。小型人頭模型１００の用途の一例は、ヘアスタイルや染色等を看者に提示することである。
【００２０】
本実施形態の小型人頭模型１００は、フロント側のヘムライン１２を下端とする帯状の第一領域１０と、第一領域１０と頭頂ＡＺとの間の第二領域２０とに、それぞれ多数の頭髪５０が植毛されている。
【００２１】
第一領域１０に植毛された頭髪５０の立ち上がり角度は５度以上３０度以下である。そして、第二領域２０に植毛された頭髪５０の立ち上がり角度は、これよりも大きい。
【００２２】
図２は、頭髪５０の立ち上がり角度の説明図である。頭髪５０が頭部８０の表面から突出する点を基点５１とする。頭髪５０の付け根部分５２は、基点５１の近傍において直線的に伸びており、毛先５３に近づくにしたがって頭髪５０は自重またはヘアスタイルにしたがって湾曲する。基点５１を通る頭部８０の接平面５５と、湾曲する頭髪５０を面内に含み接平面５５に直交する立面５６を図２のように仮想する。このとき、接平面５５に対する頭髪５０の付け根部分５２の射影５８と、付け根部分５２とのなす角度（生え角）を頭髪５０の立ち上がり角度φという。ここで、立ち上がり角度φは、基点５１を原点として頭頂ＡＺの反対方向（基準方向５７）をゼロ度側とする仰角であり、その補角φ'と区別する。すなわち、頭髪５０が頭頂ＡＺの反対側（下方）に向かって頭部８０に接するように寝ているとき、その立ち上がり角度φはゼロ度となる。
【００２３】
そして、従来のミニウイッグにおいては頭髪の立ち上がり角度が略９０度であった。これに対して、本実施形態のように第一領域１０の頭髪５０の立ち上がり角度φ1を５度以上３０度以下とすることで、ヘムライン１２の頭髪５０の嵩高が好適に抑えられる。また、第一領域１０の頭髪５０の立ち上がり角度φ1を所定以下に抑えることで、頭髪５０が左右に流れにくくなり、ヘアスタイルを容易に創ることができる。また、頭頂ＡＺに近接する第二領域２０の頭髪５０の立ち上がり角度φ2を、第一領域１０における角度φ1よりも大きくすることで、旋毛ＷＨの周囲における頭髪５０を自然な状態とすることができる。一方、頭頂ＡＺの近傍に一般に存在する旋毛ＷＨの周囲における頭髪５０を、ヘムライン１２と同様に立ち上がり角度を小さくして寝かせると、旋毛ＷＨの周囲の頭髪５０が過度に薄くなり、人間や通常のウイッグに比べて旋毛ＷＨが目立ちすぎることとなる。これに対し、本実施形態では、旋毛ＷＨの周囲の頭髪５０の立ち上がり角度は従来のミニウイッグと同等としているため、旋毛ＷＨの周囲は自然な状態になる。そして、ヘムライン１２近傍に関しては頭髪５０の嵩高が抑制されている。これにより、人間や通常のウイッグにおける頭部と頭髪との高さ寸法のバランスを維持したままで全体にスケールダウンしたような見た目の印象を与えることができる。
【００２４】
ここで、第一領域１０における頭髪５０の立ち上がり角度φ1が第二領域２０における頭髪５０の立ち上がり角度φ2よりも小さいとは、第一領域１０に植毛された多数の頭髪５０の立ち上がり角度φ1の平均が、第二領域２０に植毛された多数の頭髪５０の立ち上がり角度φ2の平均よりも小さいことをいう。
【００２５】
なお、基準方向５７と射影５８との角度を、頭髪５０の生え向きθという。頭髪５０（射影５８）の生え向きθは、基準方向５７を基準として時計回りの方向を正、反時計回りの方向を負として表すことができる。生え向きθはマイナス９０度以上プラス９０度以下であり、好ましくはマイナス４５度以上プラス４５度以下である。頭部８０から頭髪５０が放射状に生えている状態を模擬する場合は、生え向きθをゼロ度近傍、例えばマイナス１０度以上プラス１０度以下、にするとよい。
【００２６】
図３は小型人頭模型１００の正面上方斜視図であり、図４は小型人頭模型１００の左側面図である。これらの図面を用いて本実施形態の小型人頭模型１００をより詳細に説明する。ただし、図３、図４では頭髪５０の図示を省略している。
【００２７】
頭髪５０の立ち上がり角度φ1が小さな第一領域１０は、フロント側のヘムライン１２またはネープ側のヘムライン１４の少なくとも一方を下限とする帯状に形成されている。このうち、小型人頭模型１００は看者に対して正面視（図３を参照）で供される場合が多いことから、特にフロント側のヘムライン１２に沿って第一領域１０（フロントヘムライン領域１５）を設けるとよい。
【００２８】
本実施形態においては、第一領域１０がフロント側とネープ側とにそれぞれ設けられている。すなわち、本実施形態の小型人頭模型１００は、フロント側のヘムライン１２を下限とする帯状のフロントヘムライン領域１５と、ネープ側のヘムライン１４を下限とする帯状のネープヘムライン領域１７と、をともに備えている。
【００２９】
フロントヘムライン領域１５とネープヘムライン領域１７における頭髪５０の立ち上がり角度φ1は、ともに５度以上３０度以下である。両者は互いに等しくてもよく、または相違してもよい。
具体的には、フロントヘムライン領域１５における立ち上がり角度φ1を、ネープヘムライン領域１７における立ち上がり角度φ1よりも小さくしてもよい。これは、図４に示すようにフロント側のヘムライン１２はネープ側のヘムライン１４よりも高位にあり、ネープヘムライン領域１７に比べてフロントヘムライン領域１５の方が、頭髪５０の嵩高さへの影響が大きいためである。
【００３０】
第二領域２０は、両耳６０、６１のそれぞれ中心と旋毛ＷＨとを通る正中線７０を境界にして、前頭領域２２と後頭領域２４とに区分されている。そして、前頭領域２２に植毛された頭髪５０はフロント側に向かって立ち上がり、後頭領域２４に植毛された頭髪５０はネープ側に向かって立ち上がっている。これにより、旋毛ＷＨおよびその周囲を境界にして、第二領域２０が前頭領域２２と後頭領域２４とに自然に区分されている。
【００３１】
ここで、ある領域に植毛された頭髪５０がフロント側（またはネープ側）に向かって立ち上がっているとは、当該領域に植毛された多数の頭髪５０の付け根部分５２（図２を参照）が、全体としてフロント側（またはネープ側）に向かう方向成分を有していることをいう。これは、当該領域のすべての頭髪５０が例外なくフロント側（またはネープ側）に向かっていることを必ずしも要するものではなく、また頭髪５０の毛先５３（図２を参照）の方向によらない。
【００３２】
前頭領域２２と後頭領域２４に植毛された頭髪５０の立ち上がり角度φ2は、第一領域１０における角度φ1よりも大きく、かつ９０度以下である。ここで、前頭領域２２において、すべての頭髪５０の立ち上がり角度φ2は均一でもよく、または、旋毛ＷＨに近接する側（高位）の頭髪５０の立ち上がり角度を、フロントヘムライン領域１５に近接する側（低位）の頭髪５０の立ち上がり角度よりも大きくしてもよい。同様に、後頭領域２４において、すべての頭髪５０の立ち上がり角度φ2は均一でもよく、または、旋毛ＷＨに近接する側（高位）の頭髪５０の立ち上がり角度を、ネープヘムライン領域１７に近接する側（低位）の頭髪５０の立ち上がり角度よりも大きくしてもよい。すなわち、前頭領域２２におけるすべての頭髪５０の立ち上がり角度φ2は均一であり、後頭領域２４におけるすべての頭髪５０の立ち上がり角度φ2が均一であってもよい。そして、前頭領域２２における頭髪５０の立ち上がり角度φ2と、後頭領域２４における頭髪５０の立ち上がり角度φ2とは、等しい角度でもよく、または互いに異なる角度でもよい。
【００３３】
図３に示すように、フロントヘムライン領域１５は、両耳６０、６１を両端とする帯状をなし、両耳６０、６１の近傍の細幅部１５１と、その中間にあたる額近傍の太幅部１５２とを含む。これは、人間のヘムラインにあわせて太幅部１５２の下限ラインを下に凸形状とし、かつ、フロントヘムライン領域１５の上限ラインを上に凸形状にして正中線７０と略平行としたものである。すなわち、太幅部１５２の上限ラインは、両耳６０、６１のそれぞれ中心と旋毛ＷＨとを通る正中線７０と略平行である。
【００３４】
細幅部１５１の幅（平均幅）は０．５ｃｍから２ｃｍ程度とすることができる。太幅部１５２の幅（最大幅）は、細幅部１５１の平均幅よりも太く、かつ２ｃｍから５ｃｍ程度とすることができる。
【００３５】
ネープヘムライン領域１７は、略等幅の帯状をなし、その幅は０．５ｃｍから３ｃｍ程度とすることができる。
【００３６】
そして、本実施形態の小型人頭模型１００では、フロントヘムライン領域１５と前頭領域２２とで頭髪５０の立ち上がり角度が連続的である。ここで、隣接する領域にわたって頭髪５０の立ち上がり角度が連続的であるとは、これらの領域同士の境界に頭髪５０の分け目が形成されていない状態をいう。
【００３７】
すなわち、本実施形態の小型人頭模型１００は、フロント側のヘムライン１２に沿う第一領域（フロントヘムライン領域１５）を有する。そして、このフロント側の第一領域（フロントヘムライン領域１５）から前頭領域２２にわたって頭髪５０の立ち上がり角度が連続的に変化している。
【００３８】
前頭領域２２と後頭領域２４との境界には、頭頂ＡＺを通り旋毛ＷＨを内包する略円形の頭頂領域２６が設けられている。頭頂領域２６に植毛された頭髪５０の立ち上がり角度φ3は略９０度であり、生え向きθ（図２を参照）は互いに等しい。これにより、頭頂領域２６における頭髪５０は放射状となり、髪の分け目が目立たない。なお、本実施形態では旋毛ＷＨが頭頂ＡＺよりも後方にある場合を例示しているが、本発明はこれに限られない。旋毛ＷＨは頭頂ＡＺの前方または側方にあってもよい。
【００３９】
図４に示すように、後頭領域２４は、さらにネープ領域２４１とバック領域２４２とに区分されていてもよい。本実施形態では、ネープ領域２４１とバック領域２４２とは、両耳６０、６１（図４には耳６１のみを図示）を通り略４５度の角度で後ろ上がりに傾斜する平面を境界として区分されている。
【００４０】
バック領域２４２における頭髪５０の立ち上がり角度φ2は、６０度以上８０度以下である。そして、ネープ領域２４１における頭髪５０の立ち上がり角度φ2は、３０度以上６０度以下である。したがって、５度以上３０度以下の立ち上がり角度φ1をもつネープヘムライン領域１７と、その上側に隣接する後頭領域２４（ネープ領域２４１）とで、頭髪５０の立ち上がり角度は連続的である。
【００４１】
すなわち、本実施形態の小型人頭模型１００は、ネープ側のヘムライン１４に沿う第一領域（ネープヘムライン領域１７）を有する。そして、このネープ側の第一領域（ネープヘムライン領域１７）から後頭領域２４にわたって頭髪５０の立ち上がり角度が連続的に変化している。
【００４２】
各領域における頭髪５０の植毛密度（数密度）は特に限定されないが、第一領域１０における頭髪５０の数密度が、第二領域２０における頭髪５０の数密度よりも大きいことが好ましい。特に、第一領域１０のうち、ヘムライン１２、１４に沿う１〜５ｍｍの幅内における頭髪５０の数密度を大きくすることが好ましい。これにより、頭髪５０の総数を過大にすることなく、ヘムライン１２、１４がきめ細かくなって多様なヘアスタイルが実現される。さらに、生え際が現れるヘアスタイルの場合も頭髪５０の数量不足を感じさせず通常のウイッグと同様に自然な植毛状態を得ることができる。
【００４３】
また、各領域における頭髪５０の長さについても特に限定されないが、全体の長さがほぼ同じ（いわゆるセイムレイヤー）のショートヘアが好ましい。これにより、頭部８０の形状に添ったヘアスタイルとすることができ、本実施形態のような小型化されたミニウイッグであっても丸みのあるきれいなショートスタイルを形成することができる。
【００４４】
図５（ａ）〜（ｃ）は、本実施形態の小型人頭模型１００の製造方法を示す説明図（立面図）である。同図を用いて小型人頭模型１００の製造方法を説明する。
【００４５】
まず、同図（ａ）に示すように、目鼻や耳などの顔要素８１（図３、図４を参照）が形成されたシート状の頭皮部材９２を成形する。頭皮部材９２には、塩化ビニルなどの樹脂材料を用いることができる。顔要素８１は、シート状の頭皮部材９２に対して凹凸形状にプレス成形することができる。ただし、本実施形態の方法に代えて、略球体状に成形された後の頭皮部材９２に対して顔要素８１を描画または凹凸加工を施してもよい。すなわち、図５（ａ）〜（ｃ）の態様に代えて、顔要素８１が未形成の樹脂シートに対して所定の植毛角度で人間の頭髪５０が植毛し、かかる樹脂シートを略球体状に成形した頭皮部材９２を一旦作成してもよい。そして、かかる頭皮部材９２に対して顔要素８１を形成してもよい。
【００４６】
つぎに、同図（ｂ）に示すように、この頭皮部材９２に人間（成人）の頭髪５０を植毛する。頭髪５０の植毛は人手で行うことができるが、エアー式のニードリング装置等を用いることもできる。
このとき、顔要素８１に近い側（フロントヘムライン領域１５）では、頭髪５０の傾斜角度（植毛角度ξ1）を、顔要素８１向きの水平に近くする。具体的には、頭皮部材９２に対する植毛角度を、フロントヘムライン領域１５では３度以上２５度以下とすることができる。なお、シート状の頭皮部材（樹脂シート）における第一領域とは、頭皮部材が頭部形状に成形されて小型人頭模型１００となった状態で第一領域１０（図４を参照）となる領域をいう。同様に、シート状の頭皮部材（樹脂シート）における第二領域とは、頭皮部材が頭部形状に成形されて小型人頭模型１００となった状態で第二領域２０（同図を参照）となる領域をいう。また、シート状の頭皮部材（樹脂シート）におけるフロントヘムライン領域、ネープヘムライン領域または頭頂領域とは、頭皮部材が頭部形状に成形されて小型人頭模型１００となった状態でそれぞれフロントヘムライン領域１５、ネープヘムライン領域１７または頭頂領域２６（同図を参照）となる領域をいう。
なお、後述の発泡樹脂材料の漏出防止等の観点から、予め頭髪５０の植毛される毛根側の先端を硬質樹脂でコーティングした状態で、頭皮部材９２に植毛することもできる。
【００４７】
頭頂領域２６では頭髪５０を略直立させて植毛する。そして、顔要素８１から遠い側（ネープヘムライン領域１７）では、フロントヘムライン領域１５の頭髪５０とは反対に、顔要素８１から離れる向きに頭髪５０を大きく傾斜させて水平に近い角度で植毛する。具体的には、ネープヘムライン領域１７では、頭皮部材９２に対する植毛角度を顔要素８１側から１５５度以上１７７度以下（顔要素８１の反対側からの植毛角度ξ2が３度以上２５度以下）とすることができる。
【００４８】
フロントヘムライン領域１５と頭頂領域２６との間には前頭領域２２を設ける。前頭領域２２の頭髪５０は顔要素８１に向かって傾斜している。前頭領域２２における傾斜角度（植毛角度）は、フロントヘムライン領域１５における傾斜角度よりも大きい。また、頭頂領域２６とネープヘムライン領域１７との間には後頭領域２４を設ける。後頭領域２４の頭髪５０は、顔要素８１から離れる向きに傾斜している。後頭領域２４における傾斜角度（植毛角度）は、ネープヘムライン領域１７における傾斜角度よりも大きい。後頭領域２４の内部には、頭頂領域２６からネープヘムライン領域１７にかけて頭髪５０の傾斜角度が徐々に大きくなるよう、バック領域２４２とネープ領域２４１とをさらに区画形成してもよい。
【００４９】
フロントヘムライン領域１５における頭髪５０の付け根部分５２の傾斜角度は、出来上がりの小型人頭模型１００（同図（ｃ）を参照）における当該頭髪５０の立ち上がり角度φ1（５度以上３０度以下）よりも小さくてよい。
【００５０】
同様に、前頭領域２２および後頭領域２４における頭髪５０の付け根部分５２の傾斜角度（植毛角度）は、出来上がりの小型人頭模型１００における当該頭髪５０の立ち上がり角度φ2（６０度以上８０度以下）よりも小さくてよい。具体的には、５０度以上７０度以下とすることができる。
【００５１】
そして、同図（ｃ）に示すように、頭髪５０が植毛された頭皮部材９２を、袋状の頭部形状に成形し、その内部に内側部材を収容する。そして、袋状の頭皮部材９２を内側部材によって内側から押圧することにより頭髪５０の傾斜角度を増大させる。内側部材には、発泡性材料などの自己拡張性のある部材を用いることが好ましい。具体的には、発泡ウレタン樹脂などの発泡樹脂材料９３を頭皮部材９２で包み込んで、この発泡樹脂材料９３を発泡させる。具体的には、頭皮部材９２を略球体状に成形し、発泡樹脂材料９３をこの球体内部に封入する。発泡樹脂材料９３が発泡ウレタン樹脂の場合には、その後、発泡樹脂材料９３を構成する原料（たとえば、イソシアネート、ポリオールおよび発泡剤）同士と空気中の水分とを反応させて発泡樹脂材料９３を発泡硬化させ、頭皮部材９２を略球形の頭部８０に成形する。これにより、頭皮部材９２の袋状の内部が発泡樹脂材料９３で隙間なく充填されるとともに、頭皮部材９２が発泡樹脂材料９３によって内側から押圧される。このため頭髪５０の傾斜角度は増大する。そして、同図に示す小型人頭模型１００の出来上がり状態で、頭髪５０は所期の立ち上がり角度φ1〜φ3となる。
すなわち、頭髪５０の植毛角度ξ1、ξ2とは、外力が作用していない自然状態におけるシート状の頭皮部材９２の表面と頭髪５０の付け根部分５２との為す角度をいう（図５（ｂ）を参照）。そして、頭髪５０の立ち上がり角度φ1〜φ3とは、頭皮部材９２が略球形の頭部８０に成形された小型人頭模型１００における頭皮部材９２の表面と頭髪５０の付け根部分５２との為す角をいう（図２を参照）。なお、発泡樹脂材料９３を用いる上記方法に代えて、袋状の頭皮部材９２の内側に大気圧以上の高圧ガスを充填して、そのガス圧によって頭皮部材９２を内側から押圧してもよい。
【００５２】
以上説明した本実施形態の小型人頭模型１００の製造方法は、植毛工程と押圧工程を含む。
植毛工程では、樹脂シートにおける第一領域（具体的には、フロントヘムライン領域１５およびネープヘムライン領域１７）に所定の植毛角度（ξ1）で人間の頭髪５０を植毛する。また、この樹脂シートにおける第二領域（具体的には、前頭領域２２、後頭領域２４および頭頂領域２６）に上記所定の植毛角度（ξ1）よりも大きな植毛角度で人間の頭髪５０を植毛して頭皮部材９２を作成する。
押圧工程では、作成された頭皮部材９２を頭部形状に成形し、かつ頭皮部材９２を内側部材または高圧ガスなどにより内側から押圧して第一領域の頭髪の立ち上がり角度を上記所定の植毛角度（ξ1）よりも大きくする。頭皮部材９２を頭部形状に成形するタイミングと、頭皮部材９２を内側から押圧するタイミングの前後は特に限定されず、同時に実行してもよい。
【００５３】
そして、本実施形態の製造方法は、頭皮部材９２を袋状の頭部形状に成形するとともに内側に発泡樹脂材料９３を封入する封入工程をさらに含む。
押圧工程では、封入された発泡樹脂材料９３を発泡硬化させて、頭部形状の頭皮部材９２を内側から押圧する。
【００５４】
なお、樹脂シートに顔要素８１を形成する工程と植毛工程との前後も任意である。すなわち、顔要素８１が予め形成されている樹脂シートの第一領域および第二領域に対して頭髪５０を植毛してもよく、または頭髪５０が予め植毛された樹脂シートに対して顔要素８１を形成してもよい。
【００５５】
発泡樹脂材料９３には台座部９０が挿入されており、発泡樹脂材料９３の発泡により発泡樹脂材料９３と台座部９０とは一体に固定される。以上により小型人頭模型１００は作成される。
【００５６】
本実施形態の小型人頭模型１００は、人間の頭髪５０が所定の植毛角度で植毛された樹脂シートからなる頭皮部材９２を袋状の頭部形状に成形し、小型人頭模型１００における頭髪５０の立ち上がり角度が、この植毛角度よりも大きくなるように、頭皮部材９２を袋状の内側から押圧してなる。
すなわち、小型人頭模型１００に用いられるこの頭皮部材９２は、樹脂シートと、この樹脂シートに所定の植毛角度で植毛された人間の頭髪５０と、を含む。
そして、本実施形態の頭皮部材９２では、フロント側およびネープ側の第一領域（フロントヘムライン領域１５およびネープヘムライン領域１７）における頭髪５０の植毛角度ξ1、ξ2が略水平である。また、フロント側の第一領域（フロントヘムライン領域１５）における頭髪５０が立ち上がる向きと、ネープ側の第一領域（ネープヘムライン領域１７）における頭髪が立ち上がる向きとは互いに反対である。そして、第一領域よりも頭頂部側の第二領域（頭頂近傍）における頭髪５０の植毛角度は略直角である。
樹脂シートには、目、鼻および耳を含む顔要素８１が形成されている。フロント側の第一領域（フロントヘムライン領域１５）における頭髪５０は、顔要素８１に向かって傾斜している。一方、ネープ側の第一領域（ネープヘムライン領域１７）における頭髪５０は、顔要素８１の反対側に向かって傾斜している。
【００５７】
より具体的な植毛角度としては、フロント側の第一領域（フロントヘムライン領域１５）の植毛角度ξ1は３度以上２５度以下であり、ネープ側の第一領域（ネープヘムライン領域１７）の植毛角度は１５５度以上１７７度以下（顔要素８１の反対側からの植毛角度ξ2に換算して３度以上２５度以下）である。
【００５８】
そして、袋状に成形された頭皮部材９２に発泡樹脂材料９３を包み込み、当該発泡樹脂材料９３を発泡させることで、袋状の頭皮部材９２を内側から押圧する。
【００５９】
図４に示すように、第一領域（フロントヘムライン領域１５、ネープヘムライン領域１７）よりも頭頂部側の第二領域２０は、両耳６０、６１のそれぞれ中心と旋毛ＷＨとを通る正中線７０を境界にして、前頭領域２２と後頭領域２４とに区分されている。前頭領域２２の頭髪５０の植毛角度は５０度以上７０度以下である。そして、頭皮部材９２を発泡樹脂材料９３により内側から押圧して頭髪５０を起立させ、当該頭髪５０の立ち上がり角度φ2を６０度以上８０度以下とするとよい。
【００６０】
なお本実施形態については種々の変形を許容する。
上記実施形態では小型人頭模型１００として理美容用のミニウイッグを例示したが、本発明はこれに限られず、たとえば人間の頭髪が植毛された小型の全身模型でもよい。
【００６１】
また、前頭領域２２や後頭領域２４における頭髪５０の立ち上がり角度φ2は、上述のように、当該領域内で均一でもよく、または当該領域内で高位の頭髪５０の立ち上がり角度を低位の頭髪５０の立ち上がり角度よりも大きくしてもよい。さらに、両耳６０、６１の近傍における頭髪５０の立ち上がり角度を、頭頂ＡＺ近傍や、後頭部中央における耳の高さ位置の頭髪５０の立ち上がり角度よりも小さくしてもよい。すなわち、フロントヘムライン領域１５における頭髪５０のうち、両耳６０、６１の近傍における頭髪５０の立ち上がり角度は、太幅部１５２における頭髪５０の立ち上がり角度よりも小さい。また、前頭領域２２における頭髪５０のうち、両耳６０、６１の近傍における頭髪５０の立ち上がり角度は、旋毛ＷＨの近傍における頭髪５０の立ち上がり角度よりも小さい。これにより、両耳６０、６１の近くで頭髪５０が不自然に嵩高になることが防止され、特に耳を露出させるヘアスタイルの場合に自然な髪型を創ることができる。
【００６２】
上記実施形態は以下の技術的思想を包含する。
（１）成人よりも小さな頭部に人間の頭髪が植毛された小型人頭模型であって、フロント側またはネープ側の少なくとも一方のヘムラインに沿う帯状の第一領域と、前記第一領域よりも頭頂部側の第二領域と、を有し、前記第一領域に植毛された頭髪の立ち上がり角度が、前記第二領域に植毛された頭髪の立ち上がり角度よりも小さいことを特徴とする小型人頭模型；
（２）前記第一領域に植毛された頭髪の立ち上がり角度が５度以上３０度以下である上記（１）に記載の小型人頭模型；
（３）前記第一領域が、フロント側とネープ側とにそれぞれ設けられている上記（１）または（２）に記載の小型人頭模型；
（４）前記第二領域が、両耳のそれぞれ中心と旋毛とを通る正中線を境界にして、前頭領域と後頭領域とに区分され、前記前頭領域に植毛された頭髪はフロント側に向かって立ち上がり、前記後頭領域に植毛された頭髪はネープ側に向かって立ち上がっている上記（１）から（３）のいずれかに記載の小型人頭模型；
（５）フロント側の前記ヘムラインに沿う前記第一領域を有するとともに、フロント側の前記第一領域から前記前頭領域にわたって前記頭髪の立ち上がり角度が連続的に変化している上記（４）に記載の小型人頭模型；
（６）ネープ側の前記ヘムラインに沿う前記第一領域を有するとともに、ネープ側の前記第一領域から前記後頭領域にわたって前記頭髪の立ち上がり角度が連続的に変化している上記（４）または（５）に記載の小型人頭模型；
（７）前記第一領域における前記頭髪の数密度が、前記第二領域における前記頭髪の数密度よりも大きいことを特徴とする上記（１）から（６）のいずれかに記載の小型人頭模型。
【符号の説明】
【００６３】
１０    第一領域
１２、１４    ヘムライン
１５    フロントヘムライン領域
１５１    細幅部
１５２    太幅部
１７    ネープヘムライン領域
２０    第二領域
２２    前頭領域
２４    後頭領域
２４１    ネープ領域
２４２    バック領域
２６    頭頂領域
５０    頭髪
５１    基点
５２    付け根部分
５３    毛先
５５    接平面
５６    立面
５７    基準方向
５８    射影
６０、６１    耳
７０    正中線
８０    頭部
８１    顔要素
８２    頸部
９０    台座部
９２    頭皮部材
９３    発泡樹脂材料
１００    小型人頭模型
θ    生え向き
ξ1、ξ2    植毛角度
φ1〜φ3    立ち上がり角度
ＡＺ    頭頂
ＷＨ    旋毛
【図１】
0005781849.tif 000002
【図２】
0005781849.tif 000003
【図３】
0005781849.tif 000004
【図４】
0005781849.tif 000005
【図５】
0005781849.tif 000006